(57)【要約】【課題】斬新な表示を行うことができる表示装置を提供する。【解決手段】正面に目盛りに対応した長尺状の複数の凹部２５が、導光板から成る目盛リング部２１の正面に形成されている。弧状に沿って形成された導光板から成る弧状の装飾リング部２２が、複数の凹部２５の長手方向Ｙ１一端部の正面側を覆うように設けられている。凹部２５内に挿入されるように目盛リング部２１に向かって突出する反射壁３０が、装飾リング部２２に設けられている。反射壁３０が複数の凹部２５に沿って連続して設けられ、複数の凹部２５間の反射壁３０を挿入するリブ組付溝２８が、目盛リング部２１に設けられている。【選択図】図２
2008203061.tif 000002
【特許請求の範囲】
【請求項１】
表示意匠を備える文字板と、前記文字板の正面に設けられその正面に長尺状の複数の凹部が円弧状に沿って形成されて目盛部を成す導光リング部とを有する表示装置において、
前記複数の凹部の長手方向一端部の正面側を覆うように設けられた装飾部を有することを特徴とする表示装置。
【請求項２】
前記凹部内に挿入されるように前記導光リング部に向かって突出する反射壁が、前記装飾部に設けられていることを特徴とする請求項１記載の表示装置。
【請求項３】
前記反射壁が、前記複数の凹部に沿って連続して設けられ、そして、
前記複数の凹部間の前記反射壁を挿入する溝が、前記導光リング部に設けられていることを特徴とする請求項２記載の表示装置。
【請求項４】
前記導光リング部材の内周端部に内周に向かうに従って正面に近づくよう傾斜するテーパ反射面が設けられていることを特徴とする請求項１〜３何れか１項記載の表示装置。
【請求項５】
前記凹部が、前記装飾部に覆われている部分と前記装飾部に覆われていない部分とで異なる色になるように設けられていることを特徴とする請求項１〜４何れか１項記載の表示装置。
【発明の詳細な説明】
【技術分野】
【０００１】
本発明は、表示装置に係り、特に、目盛部が形成された導光リング部を有する表示装置に関するものである。
【背景技術】
【０００２】
上述した従来の表示装置としては、例えば図６に示すように、車両に搭載されたスピードメータ１０やタコメータ１１などのメータに用いられる指示装置が一般的に知られている。これらメータ１０、１１は、図７に示すように、表面に目盛、数字、文字又は記号等の指標が形成された文字板１２と、この文字板１２の正面に配置される指針１３と、文字板１２の背面に配置され、例えば車速やエンジン回転数などの計測量に応じて指針１３を駆動する内機１４と、文字板１２の背面に設けられ内機１４が搭載される配線板１５と、この配線板１５上に搭載されるとともに背面から文字板１２を照らす光源１６と、光源１６からの光を文字板１２に反射する反射面１７とを備えている。
【０００３】
さらにメータは、上述した文字板１２、指針１３、見返し２９、装飾リング２２、配線板１５、反射面１７を収容するケース１８と、ケース１８の背面を覆う裏カバー１９と、ケース１８の正面を覆う表ガラス２０とを備えている。
【０００４】
上記文字板１２は、透明基板と、意匠表示層及び該透明基板の正面に設けられ上記指標が除かれた遮光層（文字板遮光層）とで構成されている。
【０００５】
以上の構成によれば、昼間は正面からの自然光により文字板１２が照らされて指標を視認することができる。夜は背面からの光源１６により文字板１２が照らされて指標が光輝して指標を視認することができる。
【発明の開示】
【発明が解決しようとする課題】
【０００６】
しかしながら、図６に示すような構成の表示装置では、装飾効果が不足し、斬新な表示を行うことができないという問題点があった。
【０００７】
そこで、本発明は、上記のような問題点に着目し、斬新な表示を行うことができる表示装置を提供することを課題とする。
【課題を解決するための手段】
【０００８】
上記課題を解決するためになされた請求項１記載の発明は、表示意匠を備える文字板と、前記文字板の正面に設けられその正面に長尺状の複数の凹部が円弧状に沿って形成されて目盛部を成す導光リング部とを有する表示装置において、前記複数の凹部の長手方向一端部の正面側を覆うように設けられた装飾部を有することを特徴とする表示装置に存する。
【０００９】
請求項１記載の発明によれば、導光板から成る弧状の装飾部が、複数の凹部の長手方向一端部の正面側を覆うように設けられているので、導光リング部内部を導光する光が凹部の装飾部に覆われている凹部から出射されると、装飾部−凹部間で反射を繰り返して拡散される。これにより、凹部の装飾部に覆われている部分と覆われていない部分との境界部がぼんやり光輝して視認される。
【００１０】
請求項２記載の発明は、前記凹部内に挿入されるように前記導光リング部に向かって突出する反射壁が、前記装飾部に設けられていることを特徴とする請求項１記載の表示装置に存する。
【００１１】
請求項２記載の発明によれば、反射壁が、凹部内に挿入されるように導光リング部に向かって突出して装飾部に設けられているので、導光リング部内部を導光する光が凹部の装飾部に覆われている凹部から出射されると、反射壁−凹部との間で反射を繰り返して拡散される。即ち、装飾部−凹部間で反射しやすくなってより一層拡散するため、凹部の装飾部に覆われている部分と覆われていない部分との境界部がより一層ぼんやり光輝して視認される。
【００１２】
請求項３記載の発明は、前記反射壁が、前記複数の凹部に沿って連続して設けられ、そして、前記複数の凹部間の前記反射壁を挿入する溝が、前記導光リング部に設けられていることを特徴とする請求項２記載の表示装置に存する。
【００１３】
請求項３記載の発明によれば、反射壁が複数の凹部に沿って連続して設けられ、複数の凹部間の反射壁を挿入する溝が、導光リング部に設けられているので、装飾部と導光リング部との組み付けを容易に行うことができる。
【００１４】
請求項４記載の発明は、前記導光リング部材の内周端部に内周に向かうに従って正面に近づくよう傾斜するテーパ反射面が設けられていることを特徴とする請求項１〜３何れか１項記載の表示装置に存する。
【００１５】
請求項４記載の発明によれば、導光リング部材の内周端部に内周に向かうに従って正面に近づくよう傾斜するテーパ反射面が設けられているので、導光リング部内部を導光する光がテーパ反射面で反射して正面側に出射されるため、導光リング部の長手方向他端側の端部が光輝して視認される。
【００１６】
請求項５記載の発明は、前記凹部が、前記装飾部に覆われている部分と前記装飾部に覆われていない部分とで異なる色になるように設けられていることを特徴とする請求項１〜４何れか１項記載の表示装置に存する。
【００１７】
請求項５記載の発明によれば、凹部が、装飾部に覆われている部分と装飾部に覆われていない部分とで異なる色になるように設けられているので、凹部の目盛りとして光輝する装飾部に覆われていない部分と、境界部とが異なる色で視認される。
【発明の効果】
【００１８】
以上説明したように請求項１記載の発明によれば、導光リング部内部を導光する光が凹部の装飾部に覆われている凹部から出射されると、装飾部−凹部間で反射を繰り返して拡散される。これにより、凹部の装飾部に覆われている部分と覆われていない部分との境界部がぼんやり光輝して視認されるので、斬新な表示を行うことができる。
【００１９】
請求項２記載の発明によれば、導光リング部内部を導光する光が凹部の装飾部に覆われている凹部から出射されると、反射壁−凹部との間で反射を繰り返して拡散される。即ち、装飾部−凹部間で反射しやすくなってより一層拡散するため、凹部の装飾部に覆われている部分と覆われていない部分との境界部がより一層ぼんやり光輝して視認されるので、より一層、斬新な表示を行うことができる。
【００２０】
請求項３記載の発明によれば、装飾部と導光リング部との組み付けを容易に行うことができ、コストダウンを図ることができる。
【００２１】
請求項４記載の発明によれば、導光リング部内部を導光する光がテーパ反射面で反射して正面側に出射されるため、導光リング部の長手方向他端側の端部が光輝して視認されるので、より一層、斬新な表示を行うことができる。
【００２２】
請求項５記載の発明によれば、凹部の目盛りとして光輝する装飾部に覆われていない部分と、境界部とが異なる色で視認されるので、斬新な表示を行うことができる。
【発明を実施するための最良の形態】
【００２３】
以下、本発明の一実施の形態を図面に基づいて説明する。図１は、本発明の表示装置としてのスピードメータ１０の部分正面図である。図２は、図１に示すスピードメータ１０のＩ−Ｉ線部分断面斜示図である。図３は、図１のスピードメータ１０を構成する目盛リング部２１の部分斜示図である。図４は、図１に示すスピードメータ１０のＩＩ−ＩＩ線断面図である。図５は、図１に示すスピードメータ１０のＩＩＩ−ＩＩＩ線断面図である。
【００２４】
同図に示すようにスピードメータ１０は、文字板１２と、指針１３と、内機（図示せず）と、配線板１５と、光源１６ａ、１６ｂと、目盛リング部２１（＝導光リング部）と、装飾リング部２２（＝装飾部）とを備えている。文字板１２は、円盤状であり、その外周に沿って車両の速度を示す数字（＝表示意匠）が形成されている。文字板１２は、図２に示すように、透明基板２３と、意匠表示層３１と、この透明基板２３の正面に設けた遮光層２４とを有している。
【００２５】
上記透明基板２３は、円盤状に設けられている。上記遮光層２４は、数字に相当する部分が除かれて設けられている。上記指針１３は、文字板１２の正面に配置され、内機によって駆動される。
【００２６】
配線板１５は、文字板１２の背面に設けられ内機や光源１６ａ、１６ｂが搭載される。光源１６ａは、背面から文字板１２を照らす文字板１２用の光源である。光源１６ｂは、背面から目盛リング部２１に光を入射する光源である。
【００２７】
目盛リング部２１は、透明樹脂などの導光板から成り、文字板１２の外周縁を覆うようにリング（円弧）状に設けられている。目盛リング部２１の正面は、内周縁に近づくに従って背面側に近づくテーパ状に設けられている。目盛リング部２１は、文字板１２の正面に設けられその正面に長尺状の複数の凹部２５が円弧状に沿って形成されて目盛部を成す。
【００２８】
凹部２５の長手方向Ｙ１の両端部は、図４に示すように、各端部に近づくに従って正面側に近づくテーパ状に設けられている。凹部２５の短手方向Ｙ２の両端部も、図５に示すように、各端部に近づくに従って正面側に近づくテーパ状に設けられている。
【００２９】
目盛リング部２１には、図３に示すように、リング状のリブ組付溝２８（＝溝）が設けられている。リブ組付溝２８は、複数の凹部２５に沿って各凹部２５間を結ぶように設けられている。目盛リング部２１は、図２に示すように、配線板１５に向かって突出する光入射部２６が設けられている。光源１６ｂは、配線板１５上の光入射部２６と対向する位置に配置される。目盛リング部２１は、内周端部に内周に向かうに従って正面に近づくように傾斜するテーパ反射面２７が設けられている。
【００３０】
上記装飾リング部２２は、透明樹脂などの透明基板から形成されており、その透明基板の正面に設けられた図示しない銀色塗装層が設けられている。装飾リング部２２は、目盛リング部２１に設けられた複数の凹部２５の長手方向Ｙ１の外周側の一端部の正面を覆うようにリング状に設けられている。
【００３１】
装飾リング部２２の内周には、図４に示すように、目盛リング部２１に向かって突出する反射壁３０が設けられている。反射壁３０は、複数の凹部２５に沿って連続してリング状に設けられている。反射壁３０は、リブ組付溝２８内に挿入され組み付けられている。これにより、反射壁３０は、凹部２５内に挿入される。なお、凹部２５について、図３に示すように、上記装飾リング部２２に覆われている部分を後方凹部２５Ａ、上記装飾リング部２２に覆われていない部分を目盛凹部２５Ｂと言う。
【００３２】
上述した文字板１２と、指針１３と、内機（図示せず）と、配線板１５と、光源１６ａ、１６ｂと、目盛リング部２１と、装飾リング部２２とは、ケース１８内に収容されている。ケース１８は、文字板１２用の光源１６ａからの光が目盛リング部２１内に導入されたり、目盛リング部２１用の光源１６ｂからの光が文字板１２に導入されないように遮光する遮光壁としても働く。
【００３３】
上述した構成のスピードメータ１０において光源１６ａ、１６ｂから出射される光の進み方について以下説明する。光源１６ａから出射された光は背面から文字板１２に入射される。文字板１２の背面から入射した光は、遮光層２４が形成されていない部分を透過して正面に出射される。これにより、文字板１２上に形成された数字が光輝して視認される。
【００３４】
次に、光源１６ｂから出射された光Ｌは、光入射部２６から目盛リング部２１内に入射される。目盛リング部２１内を導光して目盛凹部２５Ｂに入射された光Ｌは、図５に示すように、屈折して正面に向かって出射され、運転者視点に届く。これにより、凹部２５の目盛凹部２５Ｂが光輝して視認される。
【００３５】
また、目盛リング部２１内を導光して後方凹部２５Ａに入射された光Ｌは、図４に示すように、屈折して正面側に向かって出射された後、反射壁３０−後方凹部２５Ａ間での反射が繰り返され、拡散される。この拡散された光Ｌにより、凹部２５の後方凹部２５Ａと目盛凹部２５Ｂとの境界部３２（図１）が照らされてぼんやり光輝して視認される。
【００３６】
また、目盛リング部２１内部を導光してテーパ反射面２７に入射された光Ｌは、反射して正面側に向かって出射された後、運転者視点に届く。これにより、目盛リング部２１の内周縁が光輝して視認され、より斬新な表示を行うことができる。
【００３７】
上述したスピードメータ１０によれば、導光板から成る弧状の装飾リング部２２が、複数の凹部２５の長手方向Ｙ１外周側の正面側を覆うように設けられているので、目盛リング部２１内部を導光する光Ｌが後方凹部２５Ａから出射されると、装飾リング部２２−後方凹部２５Ａ間で反射を繰り返して拡散される。これにより、後方凹部２５Ａと目盛凹部２５Ｂとの境界部３２がぼんやり光輝して視認され、斬新な表示を行うことができる。
【００３８】
また、上述したスピードメータ１０によれば、凹部２５内に挿入されるように目盛リング部２１に向かって突出する反射壁３０が、装飾リング部２２に設けられているので、目盛リング部２１内部を導光する光が後方凹部２５Ａから出射されると、反射壁３０−後方凹部２５Ａとの間で反射を繰り返して拡散される。即ち、装飾リング部２２−凹部２５間で反射しやすくなってより一層拡散するため、境界部３２がより一層ぼんやり光輝して視認され、斬新な表示を行うことができる。
【００３９】
また、上述したスピードメータ１０によれば、反射壁３０が複数の凹部２５に沿って連続して設けられ、複数の凹部２５間の反射壁３０を挿入するリブ組付溝２８が目盛リング部２１に設けられているので、装飾リング部２２と目盛リング部２１との組み付けを容易に行うことができ、コストダウンを図ることができる。
【００４０】
なお、上述した実施形態では、装飾リング部２２には、反射壁３０を設けていたが、本発明はこれに限ったものではない。例えば、装飾リング部２２は凹部２５の長手方向Ｙ１の一端部を覆うように設けていれば、反射壁３０を設けなくてもよい。
【００４１】
また、上述したスピードメータ１０によれば、反射壁３０が、複数の凹部２５に沿って連続して設けられ、そして、目盛リング部２１が、複数の凹部２５間に反射壁３０を挿入するリブ組付溝２８が設けられていたが、本発明はこれに限ったものではない。反射壁３０は、少なくとも凹部２５に挿入されるように設ければよく、凹部２５間に設ける必要はない。
【００４２】
また、上述した実施形態では、凹部２５は着色されたものではないが、本発明はこれに限ったものではない。例えば、凹部２５が、装飾リング部２２に覆われている部分と装飾リング部２２に覆われていない部分とで異なる色になるように設けてもよい。この場合、凹部２５の目盛りとして光輝する装飾リング部２２に覆われていない部分と境界部３２とが異なる色で視認され、より一層斬新な表示を行うことができる。
【００４３】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４４】
【図１】本発明の表示装置としてのスピードメータの部分正面図である。
【図２】図１に示すスピードメータのＩ−Ｉ線部分断面斜示図である。
【図３】図１のスピードメータを構成する目盛用リング部の部分斜示図である。
【図４】図１に示すスピードメータのＩＩ−ＩＩ線断面図である。
【図５】図１に示すスピードメータのＩＩＩ−ＩＩＩ線断面図である。
【図６】従来の表示装置の一例を示す正面図である。
【図７】図６に示す表示装置のＩＶ−ＩＶ線断面図である。
【符号の説明】
【００４５】
２１  目盛リング部（導光リング部）
２２  装飾リング部（装飾部）
２５  凹部
２８  リブ組付溝（溝）
２７  テーパ反射面
３０  反射壁
Ｙ１  長手方向
【図１】
2008203061.tif 000003
【図２】
2008203061.tif 000004
【図３】
2008203061.tif 000005
【図４】
2008203061.tif 000006
【図５】
2008203061.tif 000007
【図６】
2008203061.tif 000008
【図７】
2008203061.tif 000009